(57)【要約】【課題】シフト量設定手段（５）及び位相シフト手段（６）を備えていないベクトルスコープであっても、ユーザの意志に基づいて、ベクトル波形を回転させる。【解決手段】本発明のベクトルスコープに表示されるベクトル波形を回転させるベクトル波形回転装置（６０）は、回転量αを保持する回転量設定手段（５’）と、コンポジット・ビデオ信号のクロマ信号から復調された第１色差信号（Ｂ−Ｙ信号）及び第２色差信号（Ｒ−Ｙ信号）を、それぞれｘ及びｙとして入力する手段（６’）であって、ベクトル（ｘ，ｙ）＝（第１色差信号，第２色差信号）から、ベクトル（ｘ’，ｙ’）＝（ｘ・ｃｏｓα−ｙ・ｓｉｎα，ｘ・ｓｉｎα＋ｙ・ｃｏｓα）を生成することにより、ベクトル（ｘ，ｙ）を回転させる手段（６’）と、を備える。【選択図】  図３
2005024269.tif 000002
【特許請求の範囲】
【請求項１】
ベクトルスコープに表示されるベクトル波形を回転させるベクトル波形回転装置（６０）であって、該装置は、
コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を、回転させる手段（６’）を
備えるベクトル波形回転装置（６０）。
【請求項２】
請求項１に記載の装置（６０）であって、該装置はさらに、
回転量αを保持する回転量設定手段（５’）を
備え、
ベクトル（ｘ，ｙ）を回転させる前記手段（６’）が、
ベクトル（ｘ，ｙ）から、ベクトル（ｘ’，ｙ’）＝（ｘ・ｃｏｓα−ｙ・ｓｉｎα，ｘ・ｓｉｎα＋ｙ・ｃｏｓα）を生成するアフィン変換手段（６’）である、ベクトル波形回転装置（６０）。
【請求項３】
ベクトルスコープに表示されるベクトル波形を回転させるベクトル波形回転方法であって、該方法は、
回転量αを設定するステップと、
コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）から、ベクトル（ｘ’，ｙ’）＝（ｘ・ｃｏｓα−ｙ・ｓｉｎα，ｘ・ｓｉｎα＋ｙ・ｃｏｓα）を生成することにより、ベクトル（ｘ，ｙ）を回転させるステップと、
を含む方法。
【発明の詳細な説明】
【０００１】
【発明の属する技術分野】
本発明は、ベクトルスコープのベクトル波形表示において、ベクトル波形を回転する装置に関連し、より詳細には、再生された副搬送波を位相シフトする移相装置の代わりとなる、復調された色差信号を回転する装置に関連する。
【０００２】
【従来の技術】
図１は、コンポジット・ビデオ信号をベクトル波形表示する従来のベクトルスコープの概略ブロック図を示す。図１に示すように、従来のベクトルスコープは、入力手段１と、Ｙ／Ｃ分離手段２と、同期分離手段３と、副搬送波再生手段４と、移相装置と、デコーダ手段８と、表示手段１１と、を備える。
【０００３】
入力手段１は、コンポジット・ビデオ信号を入力して、その信号をＹ／Ｃ分離手段２、同期分離手段３及び副搬送波再生手段４に出力する。Ｙ／Ｃ分離手段２は、入力したコンポジット・ビデオ信号から、例えば、バンドパス・フィルタ、コムフィルタ、３次元フィルタ等のフィルタを用いて、コンポジット・ビデオ信号のクロマ信号を抽出し、その信号をデコーダ手段８に出力する。同期分離手段３は、入力したコンポジット・ビデオ信号から、負のピーク検出回路を用いて、コンポジット・ビデオ信号の同期信号部分内の複合同期信号を抽出する。さらに、同期分離手段３は、その複合同期信号から、安定マルチバイブレータ等を用いて、垂直同期信号と水平同期信号とに分離し、これらの信号に基づいてバーストゲート信号を生成し、その信号をデコーダ手段８に出力する。副搬送波再生手段４は、入力したコンポジット・ビデオ信号から、ＰＬＬを用いて、バースト信号に同期する副搬送波信号を生成し、その信号を移相装置の位相シフト手段６に出力する。
【０００４】
移相装置のシフト量設定手段５は、位相シフト手段６に入力される副搬送波信号から、位相シフト手段６から出力される副搬送波信号への、位相シフト量（即ち、表示手段１１に表示されるベクトル波形を回転させる量）を設定し、そのシフト量を位相シフト手段６に出力する。位相シフト手段６は、入力した位相シフト量に応じて、例えばゴニオメータなどの可変位相回路を用いて、入力した副搬送波信号の位相をシフトし、位相シフトした副搬送波信号を９０度位相シフト手段７及びデコーダ８に出力する。移相装置の９０度位相シフト手段７は、入力した副搬送波信号から、９０度位相回路を用いて、その信号と直交する副搬送波信号を生成し、生成した信号をデコーダ８に出力する。デコーダ８は、Ｙ／Ｃ分離手段２から入力したクロマ信号から、位相シフト手段６から入力した副搬送波信号と９０度位相シフト手段７から入力した副搬送波信号（即ち、互いに直交する副搬送波信号）とを用いて、色差信号（Ｒ−Ｙ信号及びＢ−Ｙ信号）に復調し、復調した信号を表示手段１１に出力する。表示手段１１は、入力した色差信号のＢ−Ｙ信号をｘ軸として、Ｒ−Ｙ信号をｙ軸として、リサージュ表示する。
【０００５】
このような従来のベクトルスコープの一例は、特開平７−３１２７６２号公報に開示されている。なお、特開平７−３１２７６２号公報に記載されるベクトルスコープは、改良した移相装置を備えている。
【０００６】
【特許文献１】
特開平７−３１２７６２号公報（第３頁、段落２）
【０００７】
【発明が解決しようとする課題】
図２は、図１に示すシフト量設定手段５及び位相シフト手段６を備えていないベクトルスコープの概略ブロック図を示す。言い換えれば、図２に示すベクトルスコープは、１チップ化されたデコーダ装置８０を備えている。このようなベクトルスコープにおいては、ユーザの意志に基づいて、表示手段１１に表示されるベクトル波形を回転させることができない。
【０００８】
従って、本発明の目的は、シフト量設定手段５及び位相シフト手段６を備えていないベクトルスコープであっても、ユーザの意志に基づいて、ベクトル波形を回転させることにある。
【０００９】
本発明のもう１つの目的は、新規な手法で、ベクトル波形を回転させることにある。
本発明の他の目的は、本明細書の記載を通して、明らかになるであろう。
【００１０】
【課題を解決するための手段】
上記目的を達成するために、本発明は、ベクトルスコープに表示されるベクトル波形を回転させるベクトル波形回転装置（６０）である。本発明のベクトル波形回転装置（６０）は、コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）＝（第１色差信号，第２色差信号）を、回転させる手段（６’）を備える。ベクトル波形回転装置（６０）。好ましくは、本発明のベクトル波形回転装置（６０）はさらに、回転量αを保持する回転量設定手段（５’）を備え、ベクトル（ｘ，ｙ）を回転させる前記手段（６’）が、ベクトル（ｘ，ｙ）から、ベクトル（ｘ’，ｙ’）＝（ｘ・ｃｏｓα−ｙ・ｓｉｎα，ｘ・ｓｉｎα＋ｙ・ｃｏｓα）を生成するアフィン変換手段（６’）である。
【００１１】
また、上記目的を達成するために、本発明は、ベクトルスコープに表示されるベクトル波形を回転させるベクトル波形回転方法である。本発明の方法は、回転量αを設定するステップと、コンポジット・ビデオ信号のクロマ信号から復調された第１色差信号（Ｂ−Ｙ信号）及び第２色差信号（Ｒ−Ｙ信号）を、それぞれｘ及びｙとして入力し、ベクトル（ｘ，ｙ）から、ベクトル（ｘ’，ｙ’）＝（ｘ・ｃｏｓα−ｙ・ｓｉｎα，ｘ・ｓｉｎα＋ｙ・ｃｏｓα）を生成することにより、ベクトル（ｘ，ｙ）を回転させるステップと、を含む。
【００１２】
【発明の実施の形態】
以下に、本発明の実施の形態について、図面を参照して説明する。
図３は、本発明に係るベクトル波形回転装置６０を備えるベクトルスコープの概略ブロック図を示す。
【００１３】
図３に示すベクトルスコープの入力手段１、Ｙ／Ｃ分離手段２、同期分離手段３、副搬送波再生手段４、９０度位相シフト手段７、デコーダ手段８及び表示手段１１の機能は、図２に示すベクトルスコープの手段の機能と同様である。従って、これらの手段の詳細な説明は、省略する。
【００１４】
図３の一部に示すように、本発明のベクトル波形回転装置６０は、回転量設定手段５’と、アフィン変換手段６’と、を備える。
回転量設定手段５’は、表示手段１１に表示されるベクトル波形を回転させる量（即ち、回転量α）を保持する。
【００１５】
アフィン変換手段１０は、表示手段１１に表示されるベクトル波形が、回転量αに基づいて、デコーダ８からの色差信号を以下の式１で変換する。
ｘ’＝ｘ・ｃｏｓα−ｙ・ｓｉｎα
ｙ’＝ｘ・ｓｉｎα＋ｙ・ｃｏｓα  …（式１）
ここで、ｘは、回転前の色差信号のＢ−Ｙ信号部分を表し、ｙは、回転前の色差信号のＲ−Ｙ信号部分を表し、ｘ’は、回転後の色差信号のＢ−Ｙ信号部分を表し、ｙ’は、回転後の色差信号のＲ−Ｙ信号部分を表す。
【００１６】
アフィン変換手段１０は、回転後の色差信号を表示手段１１に出力する。表示手段１１は、入力した色差信号のＢ−Ｙ信号（ｘ’）をｘ軸として、Ｒ−Ｙ信号（ｙ’）をｙ軸として、表示する。
【００１７】
ユーザが、回転量設定手段５’を操作すると（例えば、ユーザが回転ツマミを手動で回転させると）、ベクトルスコープは、表示手段１１に表示されるベクトル波形を回転させる。
【００１８】
図４は、回転前のＮＴＳＣ方式のカラーバー信号のベクトル表示例を表す。図５は、回転後のＮＴＳＣ方式のカラーバー信号のベクトル表示例を表す。
図４及び図５に示すように、例えば、回転量α＝−２６°が設定される場合、表示手段１１に表示されるベクトル波形は、回転する（図５中の矢印５０を参照）。
【００１９】
このように、図３に示す回転量設定手段５’及びアフィン変換手段６’が、図１に示すシフト量設定手段５及び位相シフト手段６に対応することを理解できる。従って、シフト量設定手段５及び位相シフト手段６を備えていないベクトルスコープであっても、それらの手段の代わりに本発明のベクトル波形回転装置６０を備えることにより、ユーザの意志に基づいて、ベクトル波形を回転させることができる。
【００２０】
図６は、図３中の本発明に係るベクトル波形回転装置６０の具体的なブロック図を示す。
回転量設定手段５’の係数保持手段は、回転量αに対応するｓｉｎ係数（ｓｉｎ（α））及びｃｏｓ係数（ｃｏｓ（α））を保持する。
【００２１】
アフィン変換手段６’の第１乗算器は、デコーダ８からのＢ−Ｙ信号と、ｃｏｓ係数に対応する信号と、を乗算し、第１加算器に出力する。第２乗算器は、デコーダ８からのＲ−Ｙ信号に−１を乗算した信号と、ｓｉｎ係数対応する信号と、を乗算し、第１加算器に出力する。第３乗算器は、デコーダ８からのＲ−Ｙ信号と、ｃｏｓ係数に対応する信号と、を乗算し、第２加算器に出力する。第４乗算器は、デコーダ８からのＢ−Ｙ信号と、ｓｉｎ係数に対応する信号と、を乗算し、第２加算器に出力する。
【００２２】
第１加算器は、第１乗算器からの信号と第２乗算器からの信号を加算し、その信号（ｘ’）をＢ−Ｙ信号として表示手段１１に出力する。第２加算器は、第３乗算器からの信号と第４乗算器からの信号を加算し、その信号（ｙ’）をＲ−Ｙ信号として表示手段１１に出力する。このようにして、（式１）を具体化することができる。
【図面の簡単な説明】
【図１】コンポジット・ビデオ信号をベクトル波形表示する従来のベクトルスコープの概略ブロック図を示す。
【図２】図１に示すシフト量設定手段５及び位相シフト手段６を備えていないベクトルスコープの概略ブロック図を示す。
【図３】本発明に係るベクトル波形回転装置６０を備えるベクトルスコープの概略ブロック図を示す。
【図４】回転前のＮＴＳＣ方式のカラーバー信号のベクトル表示例を表す。
【図５】回転後のＮＴＳＣ方式のカラーバー信号のベクトル表示例を表す。
【図６】図３中の本発明に係るベクトル波形回転装置６０の具体的なブロック図を示す。
【図１】
2005024269.tif 000003
【図２】
2005024269.tif 000004
【図３】
2005024269.tif 000005
【図４】
2005024269.tif 000006
【図５】
2005024269.tif 000007
【図６】
2005024269.tif 000008